(57)【特許請求の範囲】
【請求項１】
紙幣を取引処理する紙幣取引処理装置であって、
前記取引処理される紙幣を識別対象として該識別対象の識別情報を取得する識別情報取得手段と、
前記紙幣の少なくとも片面の表面画像を画像情報として取得する画像情報取得手段と、
前記識別情報取得手段で不適切であると識別された不適切紙幣を収納する不適切紙幣収納庫と、
前記識別情報と前記画像情報とを記憶する記憶手段と、
当該取引処理における前記識別情報取得手段での識別で不適切紙幣と識別した紙幣について前記識別情報と前記画像情報とを前記紙幣の搬送単位ごとに前記記憶手段に格納させ、前記識別情報、取引毎に識別した紙幣の金種、枚数、および取引毎にリジェクトされた情報の個数に基づき取引毎に不適切紙幣情報を作成し、前記記憶手段に格納させる制御手段とを備えた
紙幣取引処理装置。
【請求項２】
前記制御手段は、一時保留部から収納する過程で前記識別情報取得手段での不適切紙幣と識別された前記不適切紙幣の識別情報と前記画像情報の前記記憶手段への記憶を実行する
請求項１に記載の紙幣取引処理装置。
【請求項３】
前記制御手段は、出金口から搬送された紙幣を収納する過程で前記画像情報の前記記憶手段への記憶を実行する
請求項１に記載の紙幣取引処理装置。
【請求項４】
前記制御手段は、紙幣を収納している紙幣収納庫から紙幣を出金する過程で前記識別情報取得手段での不適切紙幣と識別された前記不適切紙幣の識別情報と前記画像情報の記憶手段への記憶を実行する
請求項１から３のいずれか１つに記載の紙幣取引処理装置。
【請求項５】
前記不適切紙幣の前記画像情報と判明している前記不適切紙幣の前記識別情報とを関連づけて表示する表示手段と、
前記表示手段が表示した前記不適切紙幣の前記画像情報を基に前記不適切紙幣を特定する特定情報をオペレータに入力させる入力手段とを備えた
請求項１から４のいずれか１つに記載の紙幣取引処理装置。
【請求項６】
前記不適切紙幣の識別情報は、
前記不適切紙幣の金種および前記不適切紙幣の枚数の少なくとも一方を含む構成である
請求項１から５のいずれか１つに記載の紙幣取引処理装置。
【請求項７】
前記記憶手段は、
前記画像情報を記憶する第１記憶手段と、
該第１記憶手段から転送された前記画像情報を記憶する前記第１記憶手段より記憶容量の大きい第２記憶手段とで構成され、
前記制御手段は、
前記第１記憶手段に記憶されている前記画像情報が所定量になれば、前記第１記憶手段から前記第２記憶手段へ前記画像情報を転送する転送処理を実行する構成である
請求項１から６のいずれか１つに記載の紙幣取引処理装置。
【請求項８】
入力された前記特定情報の妥当性を判定する判定手段を備えた
請求項５に記載の紙幣取引処理装置。
【請求項９】
前記判定手段は、前記判明している識別情報に基づいて判定する構成である
請求項８に記載の紙幣取引処理装置。
【請求項１０】
前記判定手段は、前記不適切紙幣の画像情報に関連づけて前記不適切紙幣の取引時の取引情報を取引情報記憶部に記憶しておき、前記取引情報を用いて入力された特定情報の妥当性を判定する構成である
請求項８または９に記載の紙幣取引処理装置。
【請求項１１】
前記判定手段が前記特定情報を妥当でないと判定した場合、前記オペレータの前記特定情報の入力を禁止する入力禁止手段を備えた
請求項８から１０のいずれか１つに記載の紙幣取引処理装置。
【請求項１２】
前記オペレータの個人情報を取得する取得手段を備え、
前記オペレータが前記入力手段で前記特定情報を入力する場合、
前記取得手段で取得した前記オペレータの前記個人情報を前記不適切紙幣の画像情報または前記特定情報の少なくとも一方に関連づけて記憶する構成である
請求項８から１１のいずれか１つに記載の紙幣取引処理装置。
【請求項１３】
紙幣を取引処理する紙幣取引処理装置を、
前記取引処理される紙幣を識別対象として該識別対象の識別情報を取得する識別情報取得手段と、
前記紙幣の少なくとも片面の表面画像を画像情報として取得する画像情報取得手段と、
前記識別情報取得手段で不適切であると識別された不適切紙幣を収納する不適切紙幣収納庫と、
前記識別情報と前記画像情報とを記憶する記憶手段と、
当該取引処理における前記識別情報取得手段での識別で不適切紙幣と識別した紙幣について前記識別情報と前記画像情報とを前記紙幣の搬送単位ごとに前記記憶手段に記憶させ、前記識別情報、取引毎に認識した紙幣の金種、枚数、およびリジェクトされた情報の個数に基づき取引毎に不適切紙幣情報を作成する制御手段として機能させるための
プログラム。
【請求項１４】
紙幣を取引処理する紙幣取引処理装置と前記紙幣取引処理装置を管理するホストコンピュータとで構成される紙幣取引処理システムであって、
上記紙幣取引処理装置は、
前記取引処理される紙幣を識別対象として該識別対象の識別情報を取得する識別情報取得手段と、
前記紙幣の少なくとも片面の表面画像を画像情報として取得する画像情報取得手段と、
前記識別情報取得手段で不適切であると識別された不適切紙幣を収納する不適切紙幣収納庫と、
前記識別情報と前記画像情報とを記憶する記憶手段と、
当該取引処理における前記識別情報取得手段での識別で不適切紙幣と識別した紙幣について前記識別情報と前記画像情報とを前記紙幣の搬送単位ごとに前記記憶手段に記憶させ、前記識別情報、取引毎に認識した紙幣の金種、枚数、およびリジェクトされた情報の個数に基づき取引毎に不適切紙幣情報を作成する制御手段と
前記ホストコンピュータからの情報送信の指示を受信する指示受信手段と、
前記指示受信手段での前記情報送信の指示を受けて前記不適切紙幣の画像情報と前記判明している不適切紙幣の識別情報と、前記不適切紙幣情報を前記ホストコンピュータに送信する情報送信手段とを備え、
上記ホストコンピュータは、
前記紙幣取引処理装置に情報送信の指示を送信する指示送信手段と、
前記不適切紙幣の画像情報と前記判明している不適切紙幣の識別情報及び前記不適切紙幣情報とを受信する情報受信手段と、
前記不適切紙幣の画像情報を前記判明している不適切紙幣の識別情報及び前記不適切紙幣情報と関連づけて表示する表示手段と、
前記画像表示手段が表示した前記不適切紙幣の画像情報を基に不適切紙幣を特定する特定情報をオペレータに入力させる入力手段とを備えた
紙幣取引処理システム。
【請求項１５】
紙幣取引処理装置を管理するホストコンピュータであって、
前記紙幣取引処理装置に情報送信の指示を送信する指示送信手段と、
紙幣の搬送単位ごとの前記不適切紙幣の画像情報と前記判明している不適切紙幣の識別情報と、前記識別情報、取引毎に認識した紙幣の金種、枚数、およびリジェクトされた情報の個数に基づき取引毎に作成された不適切紙幣情報とを受信する情報受信手段と、
前記不適切紙幣の画像情報を前記判明している不適切紙幣の識別情報及び前記不適切紙幣情報と関連づけて表示する表示手段と、
前記表示手段が表示した前記不適切紙幣の画像情報を基に不適切紙幣を特定する識別情報をオペレータに入力させる入力手段とを備えた
ホストコンピュータ。
【発明の詳細な説明】
【技術分野】
【０００１】
この発明は、金融機関などに設置され現金の入出金を行なう紙幣取引処理装置の装置内の現金有高の精査に関する。
【背景技術】
【０００２】
紙幣取引処理装置は定期的に装置内に残存している紙幣の有高を計数しホストコンピュータなどに保存されていた紙幣精査前の紙幣の有高情報と一致していることを確認する作業（以降、紙幣精査と呼ぶ。）を行なう必要がある。
【０００３】
従来から、紙幣精査には次に示す方法がとられている。すなわち、入金された紙幣はあらかじめ識別手段によりその金種を識別されて金種別の紙幣収納庫に収納されていて、その紙幣収納庫の中の紙幣は、操作者の紙幣精査の指示により、紙幣収納庫から自動的に取り出され、紙幣取引処理装置内において機械計数されて再度収納庫に戻される。これにより紙幣収納庫の紙幣の有高が確定される。
【０００４】
入出金の際の紙幣計数動作および紙幣精査動作において紙幣の損券、折れ券、重送された紙幣など、金種或いは枚数が確定できない紙幣は不適切紙幣として不適切紙幣収納庫に収納される。不適切紙幣収納庫の中の紙幣は、オペレータにより紙幣取引処理装置の外に取り出され、手作業で金種別の枚数が確認され、この金種別の枚数が紙幣取引処理装置の入力部により入力される。これにより、不適切紙幣収納庫の紙幣の有高が確定される。
【０００５】
紙幣取引処理装置は収納庫の紙幣の有高と不適切紙幣収納庫の紙幣の有高の合計と紙幣精査前の紙幣の有高を比較し、一致していれば紙幣精査を完了する。
【０００６】
特許文献１にはホストコンピュータ側からの指示により、紙幣精査を開始することができ、紙幣取引処理装置の設置場所へ係員が出向かなくても不適切紙幣収納庫の紙幣を処理して、紙幣精査処理を完結することができる紙幣取引処理装置が開示されている。
【０００７】
この特許文献１に記載の発明は、紙幣精査による機械計数値と現金精査処理の開始前の有高情報とをホストコンピュータ側へ送信するとともに、リジェクトされた不適切紙幣に対する画像情報もホストコンピュータ側へ送信し、ホストコンピュータ側でこの画像情報により手入力された金種別枚数情報と機械計数値を加えたものと現金精査処理開始前の有高情報とにより紙幣精査処理の確認を行なう構成にして、上述の効果を得たものである。
【０００８】
ところが、特許文献１に記載の発明では、一旦不適切紙幣収納庫に収納されたすべての不適切紙幣の画像を紙幣精査時に一度に取得し、取得した紙幣の画像情報をオペレータに目視で識別させて金種別枚数を入力させる構成であり、不適切紙幣の画像情報を取得するために不適切紙幣収納庫から不適切紙幣を順次取り出して再度搬送することになる。
【０００９】
不適切紙幣収納庫内の不適切紙幣の中には、連れ出し紙幣、スキュー大紙幣および損券なども収納されているため、繰出し障害、搬送障害を引き起こす可能性が高い。このため、紙幣の搬送障害が起きた場合、係員によるジャム除去を行うまでは運用することもできなくなるという問題点もある。
【００１０】
また、不適切紙幣を一端不適切紙幣収納庫まで搬送して収納した後、精査の際に再び繰り出し、画像情報取得手段へ搬送して画像情報を取得させ、再び不適切紙幣収納庫へ搬送して収納する行程が必要であり、煩雑であるという問題点もある。
【先行技術文献】
【特許文献】
【００１１】
【特許文献１】特開平９−１３８８８０号公報
【発明の概要】
【発明が解決しようとする課題】
【００１２】
そこで、この発明は、かかる問題点を解決すべく、不適切紙幣収納庫から不適切紙幣を取り出して再度搬送することなく不適切紙幣の画像情報等を取得できる紙幣取引処理装置を提供することを目的とする。
【課題を解決するための手段】
【００１３】
この発明は、紙幣を取引処理する紙幣取引処理装置であって、前記取引処理される紙幣を識別対象として該識別対象の識別情報を取得する識別情報取得手段と、前記紙幣の少なくとも片面の表面画像を画像情報として取得する画像情報取得手段と、前記識別情報取得手段で不適切であると識別された不適切紙幣を収納する不適切紙幣収納庫と、前記識別情報と前記画像情報とを記憶する記憶手段と、当該取引処理における前記識別情報取得手段での識別で不適切紙幣と識別した紙幣について前記識別情報と前記画像情報とを前記紙幣の搬送単位ごとに前記記憶手段に格納させ、前記識別情報、取引毎に識別した紙幣の金種、枚数、および取引毎にリジェクトされた情報の個数に基づき取引毎に不適切紙幣情報を作成し、前記記憶手段に格納させる制御手段とを備えたことを特徴とする。
【発明の効果】
【００１４】
この発明により、不適切紙幣収納庫から不適切紙幣を取り出して再度搬送することなく不適切紙幣の画像情報等を取得できる紙幣取引処理装置を提供できる。
【図面の簡単な説明】
【００１５】
【図１】紙幣取引処理システムの説明図。
【図２】紙幣取引処理装置の電気的な概略構成の説明図。
【図３】紙幣取引処理装置の紙幣の搬送と収納の説明図。
【図４】入金取引での情報取得処理のフローチャート。
【図５】紙幣搬送および情報読取処理のフローチャート。
【図６】出金取引での情報取得処理のフローチャート。
【図７】振分け単位の説明図。
【図８】紙幣識別情報の説明図。
【図９】紙幣画像情報の説明図。
【図１０】不適切紙幣情報の説明図。
【図１１】紙幣情報のフォーマットの説明図。
【図１２】ホストコンピュータ側の遠隔精査処理のフローチャート。
【図１３】不適切紙幣収納庫の再計数処理のフローチャート。
【図１４】紙幣取引処理装置側の遠隔精査処理のフローチャート。
【図１５】紙幣識別情報の表示・入力の説明図。
【図１６】拡大画像の説明図。
【発明を実施するための形態】
【００１６】
この発明の実施形態を以下図面と共に詳説する。
【実施例】
【００１７】
紙幣取引処理システム１０において不適切紙幣を精査時に紙幣搬送することなく金種や枚数の情報をホストコンピュータＨＣ側で入力し紙幣取引処理装置１００の有り高を確定させる実施例について詳説する。
【００１８】
図１は紙幣取引処理システム１０の説明図である。また、図２は紙幣取引処理装置１００の電気的な概略構成の説明図である。この実施例の紙幣取引処理システム１０は、銀行のセンターおよび各支店に設置された紙幣取引処理装置１００での紙幣取引に対応するものである。図１に示すように、紙幣取引処理システム１０はセンターおよび各支店に設置されている複数の紙幣取引処理装置１００、センターに設置されているホストコンピュータＨＣ、および紙幣取引処理装置１００とホストコンピュータＨＣを結ぶ通信ネットワークＮＷ等で構成されている。
【００１９】
紙幣取引処理装置１００は、金融機関や貸金業者、現金出納を行う業者の提供する取引サービスを顧客自身の操作によって提供する装置である。ホストコンピュータＨＣは、センターおよび各支店における紙幣取引処理装置１００を統括管理するサーバーとして機能する。通信ネットワークＮＷは、紙幣取引処理装置１００とホストコンピュータＨＣとの間で情報の送受信を可能にする。
【００２０】
紙幣取引処理装置１００は、図１および図２に示すように、紙幣受付支払機構部１１０、表示操作部１２０、カード受付部１３０、通帳受付部１４０およびカメラ１２２を前面部１０１に備えている。これらは、紙幣の入出金を欲する顧客の操作や顧客への表示、紙幣・通帳の受渡に関与する機器である。
【００２１】
紙幣受付払出機構部１１０は、装置前面に設置されたシャッター１１１の開閉を経て、紙幣入金の受け入れ、返却紙幣の払出し、出金紙幣の払い出しを行う。  
表示操作部１２０は、液晶ディスプレイとタッチパネルとで構成され、液晶ディスプレイへの種々の文字情報・画像情報の表示を行うと共に、顧客が入出金取引に伴って行う入力操作を受け付ける。
【００２２】
カード受付部１３０は、顧客が入出金取引に際して挿入した磁気ストライプカードやＩＣ内蔵カードを受け付け、入出金取引処理後にはカード返却を行う。  
通帳受付部１４０は、カードに代わって、もしくはカードと共に入出金取引者が挿入した通帳を受け付け、入出金取引処理後には入出金処理明細を記入の上で通帳を返却する。
【００２３】
紙幣受付払出機構部１１０におけるシャッター開閉や、表示操作部１２０での表示、カード受付部１３０でのカード受付・返却、通帳受付部１４０での通帳受付・印字・返却は、後述の上位制御部２００からの制御信号に基づいてなされている。
【００２４】
上位制御部２００は、ＣＰＵ、ＲＡＭ、ＲＯＭおよびプログラム等が協働してその機能を発揮している。上位制御部２００は、通信部２０２、上位記憶部２０６、入金者特定部２０８および時計２１０で構成されている。
【００２５】
通信部２０２は、通信ネットワークＮＷと接続され、入出金者取引情報や、後述の上位記憶部２０６に保存された不適切紙幣を特定するための紙幣画像情報７００と不適切紙幣を特定するために判明している一部の紙幣識別情報６００と不適切紙幣情報７５０等の情報をホストコンピュータＨＣへ送信する。
【００２６】
カード受付部１３０は、カードから入出金取引者情報を読み取り、通帳受付部１４０は通帳の磁気ストライプ等から入出金取引者情報を読み取る。読み取られた入出金取引者情報は、表示操作部１２０で入出金取引者が実際に行った入出金取引操作に対応する信号と共に、上位制御部２００に出力され、通信部２０２を通して、ホストコンピュータＨＣへ送信される。
【００２７】
この入出金取引者情報は、入出金取引者に固有の情報として、口座開設時等に本人確認を経て作成された情報であり、挿入されたカードや通帳から読み取られる他、表示操作部１２０での入金操作（例えば、暗証番号入力、指紋や静脈紋と言った生体識別情報）と対応付けられている。入金者特定部２０８は、入出金者取引情報と暗証番号や生体識別情報をもとに本人確認を行なう。
【００２８】
時計２１０は、前述の通信ネットワークＮＷを介して、例えば１時間に１回のように定期的に、ホストコンピュータＨＣに内蔵されている時計と時刻が同じになるように時刻の補正を実施する。入出金取引時には、時計２１０の時刻が入出金取引情報として記憶される。
【００２９】
紙幣取引処理装置１００は、上述した前面部１０１に備えられた入出金取引者に関与する機器と装置の統括制御を担う上位制御部２００の他に、紙幣搬送部１５０、紙幣読取部１６０および収納部１７０を備える。上位制御部２００は、これら機器との間で情報送信を行いながら、紙幣の入出金および搬送はもとより、紙幣入出金に伴うカードや通帳の受付・払出、後述の紙幣の真偽判定等の制御を行う。
【００３０】
ホストコンピュータＨＣは通信ネットワークＮＷを介して紙幣取引処理装置１００へ情報を送信し、紙幣取引処理装置１００から情報を受信する通信部ＨＣＴおよび情報を記憶する情報記憶部ＨＣＭを備えている。
【００３１】
また、ホストコンピュータＨＣはセンターおよび各支店の紙幣取引処理装置１００から送られてくる後述の不適切紙幣の紙幣画像情報７００と不適切紙幣を特定するために判明している一部の紙幣識別情報６００と不適切紙幣情報７５０を表示する表示手段および入力手段であるＰＣ端末１１も備えている。ここで、表示手段はディスプレイ１２であり、入力手段はキーボード１３である。
【００３２】
図３は紙幣搬送部１５０による紙幣の搬送と収納の説明図である。紙幣搬送は、図３に示すように、入金紙幣の受け付けと出金紙幣の払い出しを行う紙幣受付払出機構部１１０と紙幣の収納を行う収納部１７０との間において行われる。紙幣受付払出機構部１１０はシャッター１１１とシャッター１１１の下方の紙幣投入ホッパー１１２と紙幣払出スタッカ１１４とを備える。
【００３３】
紙幣投入ホッパー１１２は入金時に入金者が投入した入金紙幣を受け取る。出金時には紙幣払出スタッカ１１４は出金時に出金者に出金紙幣を払い出す。一時保留部１１６は、紙幣読取部１６０による紙幣読取の結果、紙幣搬送先の振り分けのために紙幣を一時的に収納する。
【００３４】
収納部１７０は、紙幣収納庫１７３と取り忘れ紙幣収納庫１７６と不適切紙幣収納庫１７２と補充・回収・計数庫１７７から構成されている。  
紙幣収納庫１７３は、紙幣取引処理装置１００が取り扱うことのできる紙幣の金種ごとに用意されていて入金紙幣を金種ごとに収納・収納する。取り忘れ紙幣収納庫１７６は、入金取引の返却紙幣や出金取引の出金紙幣を、顧客が取り忘れた際に、その紙幣を収納・収納する。不適切紙幣収納庫１７２は、汚れや破れなどの理由で、再び出金しない紙幣を入金や出金取引時に、収納・収納する。また、不適切紙幣収納庫１７２は、取り忘れ紙幣収納庫１７６が満杯で、回収紙幣を収納することができない場合は取り忘れ回収紙幣を収納・収納する。すなわち、不適切紙幣収納庫１７２は、不適切紙幣及び取り忘れ紙幣を収納できる。
【００３５】
紙幣収納庫１７３、不適切紙幣収納庫１７２および取り忘れ紙幣収納庫１７６の紙幣出入り口には、紙幣通過を検知する紙幣通過センサ１５５と、紙幣の搬送方向を切り換える切換ゲート１５６がそれぞれ設置されている。紙幣通過センサ１５５の検知信号と紙幣読取部１６０が読み取った金種判定信号は、入出金処理部１５１に出力される（図２参照）。入出金処理部１５１は、これら信号に基づいてそれぞれの切換ゲート１５６を駆動する。これにより、入金紙幣は、紙幣収納庫１７３、取り忘れ紙幣収納庫１７６または不適切紙幣収納庫１７２のいずれか１つに搬送されて収納される。
【００３６】
紙幣搬送部１５０は、上述した紙幣受付払出機構部１１０と収納部１７０との間で、以下に説明する入金経路１５２や払出経路１５３や取り忘れ回収経路１５４や精査経路１５９等に沿って紙幣搬送を行う。
【００３７】
入金経路１５２は、紙幣受付払出機構部１１０の紙幣投入ホッパー１１２から紙幣読取部１６０を経由して一時保留部１１６に到るまでの前半入金経路と、一時保留部１１６から紙幣読取部１６０を経由して収納部１７０の紙幣収納庫１７３または不適切紙幣収納庫１７２に到るまでの後半入金経路で構成される。
【００３８】
払出経路１５３は、紙幣収納庫１７３から紙幣読取部１６０を経て紙幣受付払出機構部１１０の紙幣払出スタッカ１１４に到るまでの経路とされている。取り忘れ回収経路１５４は紙幣投入ホッパー１１２から、紙幣読取部１６０を経由して取り忘れ紙幣収納庫１７６に到るまでの経路で構成される。  
精査経路１５９は、紙幣収納庫１７３から紙幣読取部１６０を経て補充・回収・計数庫１７７に至るまでの経路で構成される。  
紙幣搬送部１５０は上位制御部２００の制御指令を受けて図示しない駆動モータを駆動し、次のようにして紙幣搬送を行う。
【００３９】
入金者が紙幣投入ホッパー１１２に紙幣を投入すると、紙幣搬送部１５０は紙幣投入ホッパー１１２から入金紙幣を１枚ずつ分離し、分離した入金紙幣を一枚ずつ、入金経路１５２の上述の前半入金経路に送り出す。こうして送り出された入金紙幣は、紙幣読取部１６０の手前の紙幣通過センサ１５５にて紙幣通過が検知された後に、紙幣読取部１６０に達する。
【００４０】
紙幣読取部１６０は、この入金紙幣をスキャナ部１６１にて読み取る。紙幣識別部１６３は、その読み取り結果に基づいて、紙幣の金種やその真偽、或いは破れ等の紙幣使用状況等を判定する。識別制御部１６２は、前述の判定結果を入出金処理部１５１に出力する。入金紙幣は、紙幣搬送部１５０により引き続き搬送される。
【００４１】
紙幣識別部１６３の真偽判定で紙幣が真紙幣であるとされた入金紙幣は、一時保留部１１６にまで搬送されて、収納部１７０への収納のための搬送に備える。一時保留部１１６への紙幣搬送の際には、紙幣払出スタッカ１１４の手前の払出経路１５３との分岐箇所の切換ゲート１５６が駆動制御される。
【００４２】
その一方、金種判定ができなかった紙幣、紙幣の真偽判定で偽紙幣とされた紙幣、或いは破れなどで寸法が異常な紙幣等は切換ゲート１５６の駆動を経て払出経路１５３により紙幣払出スタッカ１１４まで返却搬送される。これにより、上述の紙幣は入金者に返却される。
【００４３】
一時保留部１１６に搬送された入金紙幣は、入金経路１５２の上述の後半入金経路に沿って、収納部１７０まで搬送される。つまり、切換ゲート１５６の手前の紙幣通過センサ１５５にて紙幣通過が検知された後に、切換ゲート１５６にて紙幣読取部１６０まで戻され、改めてスキャナ部１６１にてスキャンされる。
【００４４】
その後、紙幣識別部１６３による紙幣識別の結果、紙幣の金種が確定し搬送状態が異常では無いと判断された場合には、その金種に応じた切換ゲート１５６の駆動を経て、入金経路１５２の上述した後半入金経路に沿ってその金種に対応する紙幣収納庫１７３まで搬送される。その一方で、紙幣識別の結果が上述以外の場合には、リジェクト券と判定され不適切紙幣収納庫１７２に搬送される。
【００４５】
紙幣出金時には、紙幣収納庫１７３のいずれかから紙幣が１枚ずつ分離され、紙幣読取部１６０へ搬送される。紙幣読取部１６０で紙幣の状態を確認し、出金できると判断された紙幣は紙幣払出スタッカ１１４へ搬送されて払い出される。それ以外の紙幣は一時保留部１１６へ搬送され、その後再び紙幣読取部１６０へ搬送されて、不適切紙幣収納庫１７２に回収される。
【００４６】
入金処理や出金処理時に顧客が紙幣払出スタッカ１１４の紙幣を受け取らなかった場合には、その紙幣は紙幣読取部１６０に搬送されて紙幣の読取が行われた後に、取り忘れ紙幣収納庫１７６に搬送され収納される。
【００４７】
図４は入金取引での情報取得処理のフローチャートを示す。この実施例の入金処理のフローは、図４に示すように、まず、上位制御部２００は、入金取引があるまで待機する（ステップＳ１００）。この入金取引の有無は、カード受付部１３０（図１、図２参照）への入金者によるカード挿入、通帳受付部１４０（図１、図２参照）への入金者による通帳挿入、表示操作部１２０（図１、図２参照）に表示された入金受付の操作部の入金者による操作で判定される。入金者による入金取引があると、上位制御部２００は、入金者による入金操作を判読し（ステップＳ１０２）、前述のカード或いは通帳の読取り結果に基づいて入金者を特定する（ステップＳ１０４）。
【００４８】
入金者の特定（ステップＳ１０４）に続いて、上位制御部２００は、紙幣入金を受け付けるべく紙幣搬送部１５０に指示をだす。入出金処理部１５１は、紙幣受付払出機構部１１０におけるシャッター１１１（図３参照）の解放制御等を行い、入金紙幣を受け取る（ステップＳ１０６）。
【００４９】
次いで、上位制御部２００は、シャッター１１１を閉鎖した上で受け取った入金紙幣を一枚ずつ既述したように入金経路１５２（図３参照）に受け入れて紙幣読取部１６０に搬送し紙幣画像を読み取る。紙幣識別部１６３は、紙幣の金種や真偽判定を行う。金種が識別不可能の場合、真紙幣と判断できない場合、或いは搬送された紙幣に汚れ、破れがある場合、紙幣が折れ曲がりの状態や２枚以上重なって搬送されている場合など一時保留部１１６に収納できないと判断した場合には、上位制御部２００は、入金者に返却する指示を入出金処理部１５１に出力し、当該紙幣を紙幣払出スタッカ１１４へ返却する。紙幣投入ホッパー１１２の紙幣を全て搬送するまで繰り返される。払出スタッカ１１４に返却された紙幣を入金者が取り除き、再び入金計数を実施するなどをして入金操作が行われる（ステップＳ１０８）。
【００５０】
入金計数終了処理は、入金計数の金額が確定する場合と、入金者が返却された紙幣を取り忘れて入金計数も確定せず取り忘れ回収する場合と、入金者が入金計数をキャンセルする場合とで動作が異なる。入金者が入金計数の金額を確定した場合には、入金取引が成立し、制御部２００は入金取引の明細票を印字し、通帳やカードを入金者に返却する。（ステップＳ１１０）
【００５１】
次に入金紙幣収納処理を実行する。上位制御部２００は、一時保留部１１６に収納した紙幣を、収納部１７０へ搬送し、不適切紙幣の紙幣識別情報６００と紙幣画像情報７００の記憶を行う（ステップＳ１１４）。このときの紙幣搬送および情報読み取り処理のフローチャートを図５に示す。
【００５２】
紙幣読取部１６０は、搬送（ステップＳ２００）されてくる入金収納紙幣を一枚ずつ内蔵するスキャナ部１６１にてスキャンし（ステップＳ２０２）、そのスキャン結果を紙幣識別部１６３に出力する。紙幣識別部１６３は、紙幣の金種判定や真偽判定を行う（ステップＳ２０４）。
【００５３】
金種が識別不可能な場合、真紙幣と判断できない場合、或いは搬送された紙幣に汚れ、破れがある場合、紙幣が折れ曲がりの状態や２枚以上重なって搬送されている場合など紙幣収納庫１７３に収納できないと判断した場合（ステップＳ２０８：ＹＥＳ）、紙幣搬送部１５０は、当該紙幣を不適切紙幣として不適切紙幣収納庫１７２へ搬送し、それ以外の紙幣は紙幣収納庫１７３に搬送される。不適切紙幣収納庫１７２に搬送する場合、当該紙幣は、紙幣画像記憶合致条件を満たすと判断され、紙幣識別部１６３で判明した一部の紙幣識別情報６００および紙幣画像情報７００は識別記憶部１６７で一時的に記憶される（ステップＳ２１０）。識別記憶部１６７は、高速であるが記憶容量の小さい記憶装置である。
【００５４】
全ての紙幣が一時保留部１１６から紙幣収納庫１７３或いは不適切紙幣収納庫１７２に搬送された後（ステップＳ２１２：ＹＥＳ）、上位制御部２００は、読み取られた不適切紙幣の前述の画像情報７００を圧縮・暗号部１６８で圧縮と暗号化をし、前述の紙幣識別情報６００とともに上位記憶部２０６に転送する（ステップＳ１１６）。
【００５５】
なお、このように画像情報７００を上位記憶部２０６に転送する処理は、識別記憶部１６７に記憶している画像情報７００が所定量以上になったタイミングで実行することもできる。このとき、識別記憶部１６７に記憶している全ての画像情報７００を一括して上位記憶部２０６に転送し、転送完了した画像情報７００を識別記憶部１６７から削除する構成にすればよい。これにより、高速での記憶が要求される上位記憶部２０６を小容量としておき、かつ、全ての画像情報７００を上位記憶部２０６に記憶する（あるいはさらに転送してホストコンピュータＨＣの情報記憶部ＨＣＭに記憶する）といったことが可能になる。  
ここで、前記所定量は、前記第１記憶手段に前記画像情報を記憶しきれない量、あるいは、予め定められた所定の容量とすることができる。
【００５６】
さらに、紙幣搬送部１５０は不適切紙幣情報７５０を紙幣入出金処理部１５１から上位記憶部２０６に転送する（ステップＳ１１８）。
【００５７】
入金計数での取り忘れでは、受付払出し機構部１１０の紙幣は取り忘れ紙幣収納庫１７６に搬送される。その後一時保留部１１６の紙幣を一旦受付払出し機構部１１０へ搬送した後に取り忘れ紙幣収納庫１７６に搬送される。取り忘れ紙幣収納庫１７６に搬送する場合、当該紙幣は、紙幣画像記憶合致条件を満たすと判断され（ステップＳ２０８：ＹＥＳ）、当該紙幣について紙幣識別部１６３で判明した一部の紙幣識別情報６００および紙幣画像情報７００は識別記憶部１６７で記憶される（ステップＳ２１０）。
【００５８】
全ての紙幣が取り忘れ紙幣収納庫１７６に搬送された後は、上位制御部２００は、読み取られた不適切紙幣の前述の画像情報７００を圧縮・暗号部１６８で圧縮と暗号化をし、前述の紙幣識別情報６００とともに上位記憶部２０６に転送する（ステップＳ１１６）。さらに、紙幣搬送部１５０は、不適切紙幣情報７５０を紙幣入出金処理部１５１から上位記憶部２０６に転送する（ステップＳ１１８）。
【００５９】
図６は出金取引での情報取得処理のフローチャートを示す。出金取引を行なう上位制御部２００は、前述の入金取引と同様にカード或いは通帳の挿入まで待機する（ステップＳ３００）。上位制御部２００は、出金者による出金操作を判読し（ステップＳ３０２）、カード或いは通帳の読み取り結果に基づいて出金者を特定する（ステップＳ３０４）。
【００６０】
出金者の特定に続いて、上位制御部２００は、入力された出金情報に応じて紙幣が紙幣収納庫１７３から繰り出され、紙幣読取部１６０で紙幣の読取を行う。ここで紙幣の真偽判定結果や汚れや破れなどの損券判定結果が出金紙幣として適切では無いと判断されたならば、紙幣はリジェクトされ一時保留部１１６へ搬送される。或いは紙幣が正常で顧客へ出金するのに適切であると判断されれば当該紙幣は紙幣払出スタッカ１１４へ搬送される（ステップＳ３０６）。
【００６１】
出金金額を満たす紙幣が紙幣払出スタッカ１１４に搬送されると、上位制御部２００は、出金取引の明細票を印字し、通帳やカードを出金者に返却するなどの終了処理を実施する（ステップＳ３０８）。出金処理で一時保留部１１６に不適切紙幣が収納された場合には、上位制御部２００は、一時保留部１１６の紙幣を不適切紙幣収納庫１７２に搬送する。このとき全ての紙幣は、図５で示した動作（ステップＳ２００〜Ｓ２１２）と同じく、紙幣読取部１６０で読み取られる（ステップＳ３１２）。これらの紙幣は、紙幣画像記憶条件合致とされ、当該紙幣について紙幣識別部１６３で判明した一部の紙幣識別情報６００および紙幣画像情報７００は識別記憶部１６７で記憶される。
【００６２】
上位制御部２００は、全ての紙幣を不適切紙幣収納庫１７２に搬送した後に、識別記憶部１６７に保存した不適切紙幣の紙幣画像情報７００を圧縮・暗号部１６８で圧縮と暗号化し、紙幣識別情報６００とともに上位記憶部２０６に転送する（ステップＳ３１４）。
【００６３】
さらに、紙幣搬送部１５０は、不適切紙幣情報７５０を紙幣入出金処理部１５１から上位記憶部２０６に転送する（ステップＳ４１０）。
【００６４】
出金された紙幣を一定時間経過しても出金者が受け取らない場合には、前述の出金終了処理とは異なり、取り忘れ回収処理を実施することになる。この場合には、上位制御部２００は、通帳やカードを回収する終了処理を実施する（ステップＳ３０８）。上位制御部２００は、紙幣払出スタッカ１１４内の紙幣を取り忘れ紙幣収納庫１７６に搬送する。さらに不適切紙幣が一時保留部１１６に収納されている場合には、上位制御部２００は、不適切紙幣を不適切紙幣収納庫１７２に搬送する。このとき紙幣は、図５で示した動作（ステップＳ２００〜Ｓ２１２）と同じく、紙幣読取部１６０で読み取られる（ステップＳ３１２）。
【００６５】
これらの紙幣は紙幣画像記憶条件合致とされ、当該紙幣について紙幣識別部１６３で判明した一部の紙幣識別情報６００および紙幣画像情報７００は識別記憶部１６７で記憶される。上位制御部２００は、取り忘れ紙幣の全てを取り忘れ紙幣収納庫１７６に搬送し、一時保留部１１６に収納された不適切紙幣の全てを不適切紙幣収納庫１７２に搬送した後に、識別記憶部１６７に保存した紙幣の紙幣画像情報７００を圧縮・暗号部１６８で圧縮と暗号化し、紙幣識別情報６００とともに上位記憶部２０６に転送する（ステップＳ３１４）。
【００６６】
さらに、紙幣搬送部１５０は、不適切紙幣情報７５０を紙幣入出金処理部１５１から上位記憶部２０６に転送する（ステップＳ３１６）。
【００６７】
次に、紙幣画像を記憶する単位について説明する。図７は、紙幣入金計数時の入金経路１５２について、紙幣投入ホッパー１１２から紙幣読取部１６０までを平面図として模式的に表した説明図である。紙幣は、紙幣投入ホッパー１１２から紙幣読取部１６０に向かって搬送される。紙幣読取部１６０のスキャナ部１６１は、紙幣が通過しているときも通過していない時もセンサを駆動させて画像を撮影する。その画像情報は、紙幣画像抽出部１６４に出力され、紙幣がスキャナ部１６１を通過した後に、紙幣画像抽出部１６４により紙幣の先端から後端までが一単位の紙幣画像情報７００として抽出される。
【００６８】
したがって、図７における紙幣５１１の記憶される一単位の紙幣画像情報７００は、画像情報５２１になる。紙幣が大きく傾いて搬送された場合の一枚の紙幣５１２の一単位の紙幣画像情報７００は、先端から後端までの長さが前述の画像情報５２１よりも長い画像情報５２２となる。紙幣が２枚以上重なって搬送された場合の複数の紙幣５１３の一単位の紙幣画像情報７００は、先頭の紙幣の先端から最後の紙幣の後端までの画像情報５２３である。
【００６９】
汚れ、しわ、折れ曲がり紙幣５１４は、金種や枚数が確定していてもリジェクトする場合がある。これらの紙幣は、入金計数時では真の紙幣と認識されても、その紙幣の状態によっては、出金には使わずに銀行側で回収すると判断される場合があり、その場合には入金収納時に不適切紙幣収納庫１７２に収納される。また、出金時に紙幣収納庫１７３から繰り出された紙幣が、前述の理由などにより顧客に出金すべき紙幣では無いと判断された場合にも、紙幣は不適切紙幣収納庫１７２に収納される。
【００７０】
図８は紙幣識別情報６００の説明図であり、図９は紙幣画像情報７００の説明図である。また、図１０は不適切紙幣情報７５０のデータ構成図である。さらに、図１１は紙幣情報のフォーマット８００の説明図である。図８から図１１を参照して紙幣情報の内容とその紙幣情報を識別記憶部１６７に保存する際の格納配列について説明する。
【００７１】
紙幣識別情報６００は、紙幣が識別を通過ごとに更新される紙幣のＩＤである紙幣取引番号６０１と、識別した紙幣の金種６０２、紙幣の真偽判定結果６０３、紙幣を搬送した時の後述の搬送元ＩＤ６０４と後述の搬送先ＩＤ６０５、取引処理のＩＤ６１６、一搬送単位における紙幣が占めている面積６０７、一搬送単位における紙幣の厚み分布６０８、リジェクト要因６０９および金種ごとの紙幣の枚数６１０によって構成される。
【００７２】
例えば面積が１枚分で厚みが全域にわたって２枚の分布を示すのであれば、紙幣が２枚重なって搬送されたと判断し、枚数６１０に２枚を示す情報が記憶される。  
紙幣画像情報７００は、格納している画像情報のサイズ７０１、紙幣全体の画像情報７０３である。
【００７３】
搬送元ＩＤ６０４は、例えば搬送元が紙幣収納庫１７３であれば紙幣収納庫１７３のメモリに記憶されている固有のＩＤ番号である。搬送元になりうるのは紙幣収納庫１７３、紙幣投入ホッパー１１２または一時保留部１１６のいずれかである。搬送先ＩＤ６０５になりうるのは、紙幣払出スタッカ１１４、一時保留部１１６、紙幣投入ホッパー１１２、収納されていた紙幣収納庫１７３、不適切紙幣収納庫１７２または取り忘れ紙幣収納庫１７６のいずれかである。これらの情報は、紙幣搬送時に紙幣読取部１６０と紙幣搬送部１５０にて取得され、紙幣取引の度に上位制御部２００の上位記憶部２０６に出力されて蓄積される。これらの情報は、図１１に示すように、前述した搬送単位ごとに紙幣識別情報６００、紙幣画像情報７００の順で格納される。
【００７４】
不適切紙幣情報７５０は、図１０に示すように、処理ＩＤ７５１、処理内容７５２、枚数情報７５３、および対象紙幣取引ＩＤ７５４により構成されており、取引毎にデータが格納される構成である。
【００７５】
処理ＩＤ７５１は、紙幣識別情報６００の取引処理ＩＤ６１０に対応し、取引処理毎に割り当てられる処理ごとに固有のＩＤを記憶する。処理内容７５２は、紙幣識別情報６００の取引操作６１１に対応し、入金や出金といった取引の処理内容を記憶する。枚数情報７５３は、入金時には入金計数時に認識した紙幣の金種とそれぞれの枚数を記憶する。
【００７６】
出金時および精査時には、紙幣を紙幣収納庫１７３から繰り出した時に認識した金種と枚数を記憶する。但し、枚数情報７５３は、金種や枚数が不明であった場合には上位制御部２００から繰り出し指示された金種にアスタリスク（図示“＊”）を記憶する。対象紙幣取引ＩＤ７５４は、対象数７５５、および複数のＩＤ−ｎ７５６により構成されている。対象数７５５は、リジェクトされた情報の個数である。ＩＤ−ｎ７５６は紙幣取引番号６０１に対応する。
【００７７】
この構成により、上位記憶部２０６は、どの処理で、どの金種の紙幣を何枚識別したのかを記憶できる。また、上位記憶部２０６は、一部しか識別できなかった紙幣の存在も記憶できる。従って、後にオペレータに不明な紙幣の金種や枚数を入力させたときに、ホストコンピュータＨＣがその入力の妥当性を機械的に判断することが可能となる。
【００７８】
図１２はホストコンピュータＨＣ側の遠隔精査処理のフローチャートであり、図１３は不適切紙幣収納庫１７２の再計数処理のフローチャートである。また、図１４は紙幣取引処理装置１００側の遠隔精査処理のフローチャートである。さらに、図１５は識別情報の表示・入力の説明図で、図１６はその拡大画像の説明図である。
【００７９】
図１２、図１３および図１４を参照しながら遠隔紙幣精査処理のフローを説明する。まず、精査を実施する紙幣取引処理装置１００に搭載されている不適切紙幣収納庫１７２へのアクセス記録がある場合（ステップＳ５００：ＹＥＳ）、ホストコンピュータＨＣは、不適切紙幣収納庫１７２内の紙幣の再計数を実施するか否かを判断する（ステップＳ５２０）。
【００８０】
不適切紙幣収納庫１７２内の紙幣の再計数を実施する場合（ステップＳ５２０：ＹＥＳ）、ホストコンピュータＨＣは、紙幣取引処理装置１００に不適切紙幣収納庫１７２の再計数を実施させる（ステップＳ５２２）。不適切紙幣収納庫１７２の再計数が行われた後、ホストコンピュータＨＣの通信部ＨＣＴは、不適切紙幣収納庫１７２内の紙幣の再計数結果と不適切紙幣収納庫１７２の情報を受信する（ステップＳ５２４）。ホストコンピュータＨＣが、ステップＳ５２０で不適切紙幣収納庫１７２内紙幣の再計数を実施しないと判断すると、紙幣精査処理は異常終了する（ステップＳ５２０：ＮＯ）。
【００８１】
不適切紙幣収納庫１７２へのアクセス記録がない場合（ステップＳ５００：ＮＯ）、不適切紙幣収納庫１７２内紙幣の再計数を実施しないで収納庫の再計数指示の送信（ステップＳ５０２）へ進む。
【００８２】
次に、紙幣取引処理装置１００の紙幣精査処理の開始の信号が、ホストコンピュータＨＣのＰＣ端末１１のキーボード１３から入力されると、ホストコンピュータＨＣは、通信部ＨＣＴから通信ネットワークＮＷを介して該紙幣取引処理装置１００の通信部２０２へ紙幣精査開始の信号を送信する。この信号を受信すると、上位制御部２００は、各紙幣収納庫１７３に収納されている紙幣について、紙幣収納庫１７３ごと、すなわち金種ごとに紙幣精査を開始する。上位制御部２００は、１枚ずつ紙幣収納庫１７３から取り出し補充・回収・計数庫１７７に搬送する。このとき紙幣読取部１６０で、例えば、大きく傾いて搬送されたスキューなどにより再び紙幣収納庫１７３に収納すべきでは無いと判断された紙幣は、一時保留部１１６に一時収納される（Ｓ４０２）。
【００８３】
その後、上位制御部２００は、補充・回収・計数庫１７７に搬送された紙幣を、紙幣収納庫１７３に搬送する。このとき紙幣読取部１６０で例えば紙幣が大きく傾いて搬送されたスキューなどにより紙幣が紙幣収納庫１７３に収納すべきでは無いと判断された場合には、当該紙幣は不適切紙幣収納庫１７２に収納される。当該紙幣は、紙幣画像記憶条件に合致し、前述の図５の手順と同様に、紙幣識別部１６３で判明した一部の紙幣識別情報６００および紙幣画像情報７００は識別記憶部１６７で記憶される。（Ｓ４０４）。
【００８４】
その後、上位制御部２００は、一時保留部１１６に搬送された紙幣を、全て不適切紙幣収納庫１７２に搬送する。当該紙幣は、紙幣画像記憶条件に合致し、前述の図５の手順と同様に、紙幣識別部１６３で判明した一部の紙幣識別情報６００および紙幣画像情報７００は識別記憶部１６７で記憶される。（Ｓ４０６）。
【００８５】
その後、識別記憶部１６７に記憶された不適切紙幣の紙幣画像情報７００は、圧縮・暗号部１６８で圧縮と暗号化を行い、紙幣識別情報６００と共に上位記憶部２０６に転送される（ステップＳ４０８）。
【００８６】
さらに、紙幣搬送部１５０は不適切紙幣情報７５０を紙幣入出金処理部１５１から上位記憶部２０６に転送する（ステップＳ４１０）。
【００８７】
上位制御部２００は、ある紙幣収納庫１７３に収納された紙幣の精査をステップＳ４０２からステップＳ４１０の処理によって実施が完了すると、残りの紙幣収納庫１７３についても同様にステップＳ４０２からステップＳ４１０までの処理を実施する（ステップＳ４１２）。
【００８８】
すべての紙幣収納庫１７３についてステップＳ４０２からステップＳ４１０の処理が完了する（ステップＳ４１２：ＹＥＳ）と、紙幣精査の結果である金種と枚数等に関する情報が、上位記憶部２０６に記憶され、紙幣取引処理装置１００の通信部２０２から通信ネットワークＮＷを介してホストコンピュータＨＣの通信部ＨＣＴへ送信される（ステップＳ４１４）。
【００８９】
また、不適切紙幣に関する一部が判明している紙幣識別情報６００、紙幣画像情報７００および不適切紙幣情報７５０も紙幣取引処理装置１００の通信部２０２から通信ネットワークＮＷを介してホストコンピュータＨＣの通信部ＨＣＴへ送信される（ステップＳ４１６）。ホストコンピュータＨＣは、この紙幣精査の結果と不適切紙幣に関する情報を通信部ＨＣＴで受信し、データ記憶部ＨＣＭに記憶する（ステップＳ５０４）。
【００９０】
次に、ホストコンピュータＨＣが不適切紙幣収納庫１７２と取り忘れ紙幣収納庫１７６の紙幣の有り高をオペレータに入力させる手順を説明する。不適切紙幣を特定するために、一部の情報が判明している紙幣判別情報６００、紙幣画像情報７００および不適切紙幣情報７５０の情報を用いる。
【００９１】
ホストコンピュータＨＣは、図１５および図１６に示すように、不適切紙幣の情報をＰＣ端末１１のディスプレイ１２の画面９００における情報表示部９０１に表示し、対応する不適切紙幣の紙幣画像を画面９００における画像表示部９１０およびサムネイル表示部９１１に表示させる（ステップＳ５０８）。
【００９２】
なお、情報表示部９０１に表示される「処理ＩＤ」は不適切紙幣情報７５０の処理ＩＤ７５１に対応する。また、情報表示部９０１に表示される「処理」は不適切紙幣情報７５０の処理内容７５２に対応する。さらに、情報表示部９０１に表示される「リジェクト要因」は紙幣識別情報６００のリジェクト要因６０９に対応する。情報表示部９０１に表示される「識別」は紙幣識別情報６００の金種６０２と識別結果６０３が共に異常無く、真券と判断された場合には“○”が表示され、それ以外のときに“×”が表示される。“×”となるのは、例えば、紙幣収納庫１７３からの繰り出しで２枚以上を連れ出しして紙幣が重なってしまったために金種が確定できない場合なども含まれる。搬送状態が悪くスキュー角度が大きくて紙幣収納庫１７３に収納できないと判断されて、不適切紙幣収納庫１７２に収納する場合でも、紙幣読取部１６０の読取結果で金種や枚数が確定している場合には“○”になる。情報表示部９０１に表示される「登録」は、識別が“×”である紙幣取引に対して、表示画像９００により、金種と枚数が確定されたことを意味する。
【００９３】
画面９００は、情報表示部９０１の他に、金種ごとに紙幣の枚数を入力する入力部９０２、金種ごとに紙幣の枚数が確定できない場合に確定不可であることを入力するチェック部９０３、不適切紙幣情報９０１の一覧中で選択する処理を上下移動するカーソル移動ボタン９０４、紙幣の表面と裏面の画像の切り替えをおこなう表裏切り替えボタン９０５、拡大表示する画像拡大ボタン９０６、縮小表示する画像縮小ボタン９０７、画像全体を表示する全体表示ボタン９０８、入力した情報を登録する登録ボタン９１２および作業を終了する終了ボタン９１３を備えている。また、オペレータの入力履歴を検索する履歴ボタン９１４も備えている。ホストコンピュータＨＣは、オペレータの要求に応じて不適切紙幣情報７５０の情報をディスプレイ１２に表示する。ＰＣ端末１１は、登録ボタン９１２で入力した情報を登録する際に、ディスプレイ１２にコメント欄（図示省略）を表示し、キーボード１３からコメントを入力させる構成になっている。オペレータは、コメント欄に各入力結果についてのコメントを入力することができる。
【００９４】
オペレータは、上述した各種ボタン等を適宜操作して、望みの画像を表示して入力や登録などを行うことができる。ホストコンピュータＨＣは、オペレータに不適切紙幣画像９１０を参照させて入力させる（ステップＳ５１０）。
【００９５】
次に、ホストコンピュータＨＣは、オペレータの入力した不適切紙幣の不適切紙幣情報７５０の妥当性を検討する（ステップＳ５１２）。具体的には、ホストコンピュータＨＣは、判明している紙幣識別情報６００や入力した不適切紙幣情報７５０をもとに明らかな入力ミスを判定する。
【００９６】
例えば、不適切紙幣情報７５０によると、処理ＩＤ００１の取引では、入金計数した紙幣は１００元札が２枚、５０元札が１枚と判明しており、対象数７５５の数字が“１”であるから、入金収納時に、そのうちの１回の搬送について、紙幣が不適切紙幣収納庫１７２に搬送されたことが分る。
【００９７】
残りの２回、例えば１００元札１枚、５０元札１枚が正常に搬送されており、不適切紙幣収納庫１７２に搬送された紙幣は１００元札１枚であることが推定できる。画面９００で処理ＩＤ００１を表示するとリジェクトされた１００元札１枚の画像が表示される。
【００９８】
オペレータは画像の紙幣が１００元札が１枚であることを確認して入力をする。或いは、このとき搬送された紙幣は収納直前の搬送途中に破れてしまい、一部が搬送路途中に取り残されている場合もありうる。その場合には表示された紙幣画像には、一部が欠損しており紙幣読取部１６０では判定できない。
【００９９】
オペレータは一部が欠損した画像から金種情報を認識し入力するか或いは、確定不可としても良い。また、一部が欠損している情報をも入力して報告することができる。次に、処理ＩＤ００２の出金取引では、紙幣のリジェクト要因は長さ異常であると表示されているので、紙幣収納庫１７３からの繰り出しに失敗して、紙幣が連なって搬送されたと推定できる。この場合には繰り出した紙幣収納庫１７３は特定されるので、どの金種を搬送したのかは分るが枚数は不明である。
【０１００】
したがって枚数情報７５３には出金指示のあった１００元札についてアスタリスク“＊”が記憶されている。ここでオペレータは処理ＩＤ００２の選択して、その時の搬送状態の紙幣画像情報７００を表示させる。この実施例では、３枚の１００元札が重なって搬送されている画像が表示されているので、オペレータは１００元札が３枚であると判断でき、画面９００に対して１００元札が３枚であると入力する。
【０１０１】
このとき、ホストコンピュータＨＣは入力された金種について検査をする。出金された紙幣は特定の紙幣収納庫１７３から繰り出されたものなので、例えば、間違えて５０元札が３枚と入力された場合には出金された収納庫が異なるために明らかに違うのでホストコンピュータＨＣはオペレータに対して警告を発することができる。
【０１０２】
また、ホストコンピュータＨＣは、入力された金種と枚数について紙幣識別情報６００の面積情報６１４と厚み情報６１５について検査をする。例えば、この３枚の紙幣厚み分布と、紙幣画像全体の面積から紙幣は３枚であることがわかる。したがってオペレータが１枚と入力した場合には明らかな入力ミスと判断でき、ホストコンピュータＨＣはオペレータに警告を発することができる。
【０１０３】
明らかな入力ミスである場合（ステップＳ５１２：ＮＯ）、ホストコンピュータＨＣは、修正画面を表示し、入力の修正をオペレータに促す（ステップＳ５１４）とともに明らかな誤りである入力を禁止する。このとき、入力ミスの警告を出力する。或いは入力ミスしたオペレータの情報を記憶してもよい。これにより、不正入力があった場合にその不正入力のオペレータを特定できる。もし入力ミスの判定がなされなければ（ステップＳ５１２：ＹＥＳ）、修正画面は表示されない。
【０１０４】
すべての不確定な不適切紙幣の紙幣識別情報６００が入力されると（ステップＳ５１６：ＹＥＳ）、ホストコンピュータＨＣは、紙幣取引処理装置１００内の現金有高がホストコンピュータＨＣに保存されている紙幣精査以前の有高情報と一致しているかどうかを識別する。一致していれば精査処理は正常終了する。もし、一致していなければ（ステップＳ５１８：ＮＯ）、オペレータは入力した内容について修正をする場合は（ステップＳ５１９：ＹＥＳ）、再び不適切紙幣情報７５０を参照し入力内容を訂正する。そうでない場合（ステップＳ５１９：ＮＯ）には作業を強制終了する。したがって、入力内容の修正作業が容易であるように、入力履歴が容易に検索できることが望ましい。
【０１０５】
各オペレータは個人識別ＩＤとパスワードをもっており、上述した入力作業を行なう際にはこの個人識別ＩＤとパスワードを入力して認証を得ないと作業を開始できない。オペレータが判明していない紙幣識別情報６００を入力する際に、個人識別ＩＤと入力する紙幣識別情報６００が結び付けられて記憶される。
【０１０６】
以上の構成および動作により、紙幣取引処理装置１００は、不適切紙幣収納庫１７２から不適切紙幣を取り出して再度搬送することなく不適切紙幣の紙幣画像情報７００を取得できる。これにより、不適切紙幣収納庫１７２から不適切紙幣を繰り出す際の繰り出し障害および搬送の際の搬送障害を引き起こす可能性を無くすことができる。また、不適切紙幣を不適切紙幣収納庫１７２から取り出し、その後再び不適切紙幣収納庫１７２へ収納する余分な行程を省略することができる。さらに、不適切紙幣収納庫１７２に繰り出し可能なリサイクル庫としての構造が不要となり、構造の簡略化を図ることができる。
【０１０７】
また、以上の構成および動作により、紙幣取引処理装置１００は、情報の一部が判明している不適切紙幣の紙幣識別情報６００や紙幣画像情報７００や不適切紙幣情報７５０を取得できる。これらの情報を用いることで、紙幣取引処理システム１０は、オペレータの不適切紙幣収納庫１７２或いは取り忘れ紙幣収納庫１７６に収納された紙幣の金種や枚数入力の妥当性を判断し入力ミスや不正な入力を防止できる。
【０１０８】
また、以上の構成および動作により、オペレータは、不適切紙幣の紙幣画像情報７００から不適切紙幣に対する判明していない紙幣情報をＰＣ端末１１のディスプレイ１２から目視で容易に読み取り、入力することができる。
【０１０９】
また、以上の構成および動作により、紙幣取引処理装置１００は、不適切紙幣の紙幣識別情報６００に金種および枚数の少なくとも一方を含めることができる。
【０１１０】
また、以上の構成および動作により、紙幣取引処理装置１００は、高速であるが容量の小さい識別記憶部１６７に一時的に画像情報を記憶し、その後、低速であるが容量の大きい上位記憶部２０６へその画像情報を記憶することができる。  
これにより、迅速な画像情報の取得と、大量の画像情報の蓄積を同時に実現できる。  
また、以上の構成および動作により、紙幣取引処理装置１００は、流通可能な紙幣と不適切紙幣をそれぞれ紙幣収納庫１７３と不適切紙幣収納庫１７２に振分けることができるとともに不適切紙幣の紙幣画像情報７００を取得できる。
【０１１１】
また、以上の構成および動作により、オペレータが判明していない紙幣識別情報６００を入力する際に、個人識別ＩＤと入力する紙幣識別情報６００が結び付けられて記憶されるので、紙幣取引処理システム１０は、判明していなかった紙幣識別情報６００を入力したオペレータを特定することができる。これにより、紙幣取引処理システム１０は、不正入力を抑止することができる。また、紙幣取引処理システム１０は、不正入力があった場合に犯人であるオペレータをすぐに特定できる。
【０１１２】
また、以上の構成および動作により、オペレータは、ホストコンピュータＨＣの遠隔操作により支店に出向かずに紙幣取引処理装置１００内の紙幣の精査を行うことができる。
【０１１３】
この発明の構成と、上述の実施形態との対応において、
この発明の表示手段は、ディスプレイ１２に対応し、
以下同様に、
入力手段は、キーボード１３に対応し、
入金口、出金口は、実施形態の紙幣受付払出機構部１１０に対応し、
画像情報取得手段は、スキャナ部１６１に対応し、
識別情報取得手段は、紙幣識別部１６３に対応し、
制御手段は、上位制御部２００に対応し、
指示受信手段および情報送信手段は、通信部２０２に対応し、
記憶手段および取引情報記憶部は、識別記憶部１６７と上位記憶部２０６に対応し、
識別情報は、紙幣識別情報６００および不適切紙幣情報７５０に対応し、
情報受信手段は、通信部ＨＣＴに対応するも、
この発明は、上述の実施形態の構成のみに限定されるものではなく、多くの実施形態を得ることができる。
【０１１４】
例えば、上述の実施形態ではホストコンピュータＨＣ側で判明していない不適切紙幣の紙幣識別情報６００の入力を行っているが、当該紙幣取引処理装置１００のある支店でこれを行わせる構成であってもよい。詳しくは、当該紙幣取引処理装置１００に直接ＰＣ端末１１を接続し紙幣識別情報６００の入力を行わせる構成であってもよいし、支店ごとに当該支店に設置されているすべての紙幣取引処理装置１００を統括管理するホストコンピュータを設け、該ホストコンピュータにＰＣ端末１１を接続し紙幣識別情報６００の入力を行わせる構成であってもよいし、これら以外の構成であってもよい。
【０１１５】
また、例えば、上述の実施形態ではオペレータに判明していない不適切紙幣の紙幣識別情報６００のみを入力させる構成であったが、判明しているジェクト紙幣の紙幣識別情報６００をあえてディスプレイ１２に表示させずに、オペレータに紙幣画像情報７００を参照させて入力させる構成であってもよい。
【産業上の利用可能性】
【０１１６】
この発明は、紙幣取引処理装置、紙幣取引処理システムに利用できる。
【符号の説明】
【０１１７】
１０・・・紙幣取引処理システム
１２・・・表示手段
１３・・・入力手段
１００・・・紙幣取引処理装置
１１０・・・入金口、入金口
１１６・・・一時保留部
１５０・・・搬送路
１６１・・・画像情報取得手段
１６３・・・識別情報取得手段
１６７・・・記憶手段、一時記憶部
１７２・・・不適切紙幣収納庫
１７３・・・紙幣収納庫
１７６・・・取り忘れ紙幣収納庫
２００・・・制御手段
２０２・・・指示受信手段、情報送信手段
２０６・・・記憶手段、上位記憶部、取引情報記憶部
５２１、５２２、５２３、５２４、７００・・・画像情報
６００、７５０・・・識別情報
ＨＣ・・・ホストコンピュータ
ＨＣＴ・・・情報受信手段
【図１】
0005680893.tif 000002
【図２】
0005680893.tif 000003
【図３】
0005680893.tif 000004
【図４】
0005680893.tif 000005
【図５】
0005680893.tif 000006
【図６】
0005680893.tif 000007
【図７】
0005680893.tif 000008
【図８】
0005680893.tif 000009
【図９】
0005680893.tif 000010
【図１０】
0005680893.tif 000011
【図１１】
0005680893.tif 000012
【図１２】
0005680893.tif 000013
【図１３】
0005680893.tif 000014
【図１４】
0005680893.tif 000015
【図１５】
0005680893.tif 000016
【図１６】
0005680893.tif 000017